(57)【要約】【課題】省資源化機能を優先的に選ばせるとともに、必要に応じて省資源化機能以外の機能を選ぶこともできる印刷制御プログラム、印刷制御方法、及び印刷システムを提供する。【解決手段】情報処理装置２の制御部２１１は、主設定ウィンドウ３２で設定された設定内容に、所定の省資源化機能が選択されているか否かを判断する。制御部２１１は、設定内容に所定の省資源化機能が選択されている場合に、印刷用データの省資源化フラグをオンして、プリンタ１へ出力する。また、制御部２１１は、設定内容に所定の省資源化機能が選択されていない場合に、印刷用データの省資源化フラグをオフして、モードをドキュメント・ファイリングモードに変更して、印刷用データをプリンタ１へ出力する。【選択図】  図５
2011048530.tif 000002
【特許請求の範囲】
【請求項１】
省資源化に貢献することができる省資源化機能を含む複数の機能を選択可能とした画像形成装置における、印刷データに基づく印刷処理に関する制御を行う印刷制御プログラムであって、
前記印刷処理の開始の指示入力を検出すると、前記省資源化機能のうち予め定められた少なくとも１つの所定の省資源化機能が選択されているか否かを判断する第１ステップと、
前記所定の省資源化機能が選択されていない場合に、前記印刷データに基づく印刷処理を行うことなく、前記画像形成装置に記憶させる第２ステップと、を含む印刷制御プログラム。
【請求項２】
前記第２ステップは、さらに、前記所定の省資源化機能が選択されていない旨を通知する請求項１に記載の印刷制御プログラム。
【請求項３】
前記第２ステップを実行する前に、前記所定の省資源化機能を含まない機能を用いた印刷処理を許可された特定ユーザの指示入力に係る印刷データに基づく印刷処理を開始する請求項１又は請求項２に記載の印刷制御プログラム。
【請求項４】
省資源化に貢献することができる省資源化機能を含む複数の機能を選択可能とした画像形成装置における、印刷データに基づく印刷処理に関する印刷制御方法であって、
前記印刷処理の開始の指示入力を検出すると、前記省資源化機能のうち予め定められた少なくとも１つの所定の省資源化機能が選択されているか否かを判断する第１ステップと、
前記所定の省資源化機能が選択されていない場合に、前記印刷データに基づく印刷処理を行うことなく、前記画像形成装置に記憶させる第２ステップと、を含む印刷制御方法。
【請求項５】
省資源化に貢献することができる省資源化機能を含む複数の機能を選択可能とした画像形成装置と、
前記画像形成装置に接続された情報処理装置と、を含む印刷システムであって、
前記画像形成装置又は前記情報処理装置は、請求項１〜３のいずれかに記載の印刷制御プログラムを格納したプログラム記憶部を備えた、印刷システム。
【発明の詳細な説明】
【技術分野】
【０００１】
この発明は、プリンタによる印刷処理を制御するための印刷制御プログラム、印刷制御方法、及び印刷システムに関する。
【背景技術】
【０００２】
近年、地球環境保護の観点から、プリンタによる印刷作業を含む事務作業の分野においても用紙や着色材料等の印刷資材等について省資源化の要請が強い。プリンタが有する機能のなかには、用紙の両面に画像を印刷する両面印刷機能や１枚の用紙に複数の画像を縮小して印刷する集約印刷機能のように、用紙の使用枚数の削減によって省資源化に貢献することができるものがある。また、カラープリンタは、一般に、カラー画像をモノクロ画像として印刷するモノクロ印刷機能を備えている。重要度の低いカラー画像をモノクロ印刷機能を用いて印刷することで、カラーインクやカラートナー等の着色材料の消費量の削減によって省資源化に貢献することができる。
【０００３】
従来、省資源化に貢献することができる省資源化機能（例えば、両面印刷機能や集約印刷機能、モノクロ印刷機能や印刷品質を低下させる機能等）を容易に設定するようにした画像形成装置が各種提案されている（例えば、特許文献１〜３参照）。
【０００４】
例えば、特許文献１に記載の画像形成装置では、画像形成費用（用紙の種類毎の単価、画像形成処理の種類毎の単価に基づいて算出した費用）が安価になる複数の印刷機能の組合せを単一のボタンに対応付けて登録する。ユーザが複数の印刷機能のそれぞれを個別に設定することなく、１つのボタン操作で画像形成費用が安価になる複数の印刷機能の組合せを設定できるようにしている。
【０００５】
特許文献２に記載の周辺機器管理システムでは、印刷した用紙の枚数をすべて片面印刷と仮定してカウントした枚数（例えば、両面印刷１枚の場合は、２枚とカウントされる）と、実際の枚数（例えば、両面印刷１枚の場合は、１枚とカウントされる）と、の差分に基づいて、用紙の削減枚数、削減率を、ユーザ毎や周辺機器毎に算出する。
【０００６】
特許文献３に記載の画像形成装置では、ユーザが選択した実際の印刷機能が所定の印刷機能より節約できている場合にそのまま印刷し、実際の印刷機能が所定の印刷機能より節約できていない場合に印刷機能を再選択させる。
【先行技術文献】
【特許文献】
【０００７】
【特許文献１】特開２００８−２２４２３号公報
【特許文献２】特開２００３−２４８５７６号公報
【特許文献３】特許３８９９９６２号公報
【発明の概要】
【発明が解決しようとする課題】
【０００８】
しかし、省資源化の要請に応えるためには、省資源化機能が積極的に使用されるようにする必要がある一方、印刷対象の画像データの重要度等に応じて省資源化機能を使用できない場合もある。
【０００９】
ところが、特許文献１に記載の画像形成装置、及び特許文献２に記載の周辺機器管理システムでは、印刷の都度、ユーザが省資源化機能の利用の有無を選択する必要があるため、省資源化機能を選ばない可能性がある。
【００１０】
また、特許文献３に記載の画像形成装置では、必ず省資源化機能を選ばなければならないため、省資源化機能以外の機能（例えば、片面印刷機能、カラー印刷機能等）を選ぶことができない。
【００１１】
そこで、省資源化機能を優先的に選ばせるとともに、必要に応じて省資源化機能を選ばないこともできる印刷制御プログラム、印刷制御方法、及び印刷システムを提供することを目的とする。
【課題を解決するための手段】
【００１２】
この発明の印刷制御プログラムは、省資源化に貢献することができる省資源化機能を含む複数の機能を選択可能とした画像形成装置（例えば、プリンタ）の印刷処理に関する制御を行う。印刷制御プログラムは、第１ステップ〜第２ステップの処理を含む。
【００１３】
第１ステップでは、印刷データに基づく印刷処理の開始を指示する指示入力を検出すると、所定の省資源化機能（例えば、両面印刷機能、集約印刷機能、モノクロ印刷機能等の用紙やインクの省資源化に貢献することができる機能）が選択されているか否かを判断する。第２ステップでは、所定の省資源化機能が選択されていない場合に、印刷データに基づく印刷処理を行わずに、画像形成装置に記憶する。
【００１４】
この発明では、所定の省資源化機能が選択されていない場合に、印刷データに基づく印刷処理を行わずに、画像形成装置に記憶する。このため、ユーザは、画像形成装置の前で煩雑な操作を行わなければ、所定の省資源化機能が選択されていない印刷データに基づく印刷処理を行うことができない。この結果、ユーザは、煩雑な操作を避けるため、印刷処理の開始を指示する前に、所定の省資源化機能を選択するようになる。すなわち、この発明では、ユーザに省資源化機能を優先的に選ばせるとともに、必要に応じて省資源化機能以外の機能も選ばせることができる。
【００１５】
この構成において、第２ステップでは、さらに、所定の省資源化機能が選択されていない旨を通知することが好ましい。例えば、省資源化機能が選択されていない旨を表示させたり、エラー音を発音させたりしてもよい。
【００１６】
これにより、ユーザに対して、省資源化機能が選択されていない旨を知らせることができ、省資源化機能を選択するよう促すことができる。
【００１７】
この構成において、第２ステップを実行する前に、予め登録された特定ユーザ（省資源化機能を含まない機能を用いた印刷処理を行うことができるユーザ）の指示入力に係る印刷データに基づく印刷処理を開始することが好ましい。
【００１８】
これにより、省資源化機能を選択していない場合であっても、予め登録された特定ユーザであれば、画像形成装置の前で煩雑な操作を行わずに、印刷処理を開始することができる。
【００１９】
また、この発明の印刷制御方法は、画像形成装置の印刷処理に関する制御方法であり、上述の第１ステップ、第２ステップからなる。
【００２０】
また、この発明の印刷システムは、省資源化に貢献することができる複数の機能を備えた画像形成装置と、画像形成装置とに接続された情報処理装置と、を備える。画像形成装置又は情報処理装置は、上述の印刷制御プログラムを記憶する。
【発明の効果】
【００２１】
この発明によれば、省資源化機能を優先的に選ばせるとともに、必要に応じて省資源化機能以外の機能を選ばせることができる。
【図面の簡単な説明】
【００２２】
【図１】この発明の実施形態に係る印刷制御プログラムが適用される印刷システムのブロック図である。
【図２】プリンタドライバによって表示される印刷処理ウィンドウの一例を示す図である。
【図３】プリンタドライバによって表示される主設定ウィンドウの一例を示す図である。
【図４】プリンタドライバによる制御部の処理手順の一例を示すフローチャートである。
【図５】印刷制御プログラムによる制御部の処理手順の一例を示すフローチャートである。
【図６】ドキュメント・ファイリングした旨を示すポップアップの一例を示す図である。
【図７】プリンタの処理手順の一例を示すフローチャートである。
【図８】印刷キューの一例を示す図である。
【図９】プリンタの操作パネルの一例を示す図である。
【図１０】プリンタの操作パネルの一例を示す図である。
【図１１】プリンタの操作パネルの一例を示す図である。
【発明を実施するための形態】
【００２３】
図１に示すように、この発明の実施形態に係る印刷制御システム１００は、プリンタ（本発明の画像形成装置に相当する。）１及び情報処理装置２を接続して構成されている。
【００２４】
プリンタ１は、給紙部１１、画像形成部１２を制御する制御部１０を備えている。プリンタ１は、ＯＨＰフィルム等の紙以外を素材とする記録媒体を含む用紙を給紙部１１から画像形成部１２に搬送し、画像形成部１２で印刷用データに基づく印刷処理を行い、用紙上にカラー画像又はモノクロ画像を形成する。プリンタ１は、一例として電子写真方式の印刷処理を行う複合機である。プリンタ１が実行する印刷処理は、電子写真方式、インクジェット方式又は他の方式であるかを問わず、複数の方式を選択できるものであってもよい。
【００２５】
情報処理装置２は、例えばパーソナルコンピュータであり、本体２１、ディスプレイ２２、キーボード２３、マウス２４を備えている。本体２１は、記憶部２１２、プログラム記憶部２１３を有する制御部２１１を備えている。
【００２６】
制御部２１１には、ディスプレイ２２、キーボード２３、マウス２４が接続されており、ネットワークを介して又は直接にプリンタ１が接続されている。
【００２７】
プログラム記憶部２１３には、オペレーティングシステムとともに、データ作成用のアプリケーションプログラム２１３Ａ、印刷処理時にプリンタ１の動作を制御するためのプリンタドライバ２１３Ｂ、この発明の印刷制御プログラム２１３Ｃがインストールされている。
【００２８】
制御部２１１は、プログラム記憶部２１３に格納されているプログラムに従って動作する。制御部２１１は、プログラム記憶部２１３内のデータ作成用のアプリケーションプログラム２１３Ａの起動中に、キーボード２３及びマウス２４の操作データに基づいて文書データを含む画像データを作成する。作成された画像データは、表示データに変換されてディスプレイ２２に表示されるとともに、記憶部２１２に保存される。
【００２９】
制御部２１１は、プログラム記憶部２１３に格納されているプリンタドライバ２１３Ｂの起動中に、キーボード２３及びマウス２４の操作データに基づいて記憶部２１２内の画像データから印刷用データを作成する。作成された印刷用データは、図示しないインタフェースを介してプリンタ１に出力される。
【００３０】
アプリケーションプログラム２１３Ａの起動中に、ユーザがキーボード２３又はマウス２４の操作によって印刷処理を要求すると、プリンタドライバ２１３Ｂが起動し、一例として図２に示す印刷処理ウィンドウ３１がディスプレイ２２に表示される。
【００３１】
図２に示すように、印刷処理ウィンドウ３１内には、プリンタ設定領域３１１、印刷範囲領域３１２、印刷部数領域３１３、拡大／縮小領域３１４等とともに、印刷開始ボタン３１５が配置されている。
【００３２】
印刷範囲領域３１２は、アプリケーションプログラムで作成した画像データにおける印刷処理すべき範囲の指定を受け付ける。
【００３３】
印刷部数領域３１３は、印刷範囲領域３１２で設定された印刷範囲の画像データを印刷すべき部数の設定を受け付ける。
【００３４】
拡大／縮小領域３１４は、用紙上に形成すべき画像の倍率の決定に必要な情報である１枚の当りのページ数及び用紙サイズについて、設定された内容又は算出結果を表示する。
【００３５】
プリンタ設定領域３１１は、印刷処理に使用するプリンタ１の名称を表示するとともに、情報処理装置２の使用可能なプリンタが複数存在する場合に印刷処理に使用するプリンタの変更操作を受け付ける。プリンタ設定領域３１１には、設定内容を確認するためのプロパティボタン３１６が配置されている。ユーザがマウス２４を介してプロパティボタン３１６を操作すると、一例として図３に示す主設定ウィンドウ３２がディスプレイ２２に表示される。
【００３６】
図３に示すように、主設定ウィンドウ３２は、複数のタブ３２１Ａ〜３２１Ｇを備え、各タブ内で、プリンタ１が実行可能な機能のそれぞれについて、選択の有無や設定内容を表示するとともに、設定内容の変更操作を受け付ける。例えば、メインタブ３２１Ａ内には、領域３２２〜３２７が設けられており、領域３２２〜３２７のそれぞれで印刷部数、両面印刷機能（用紙の両面に画像データを印刷する機能）、集約印刷機能（複数頁の画像データを１面に集約して印刷する機能）、仕上げ処理、印刷方向、モノクロ印刷機能（モノクロ画像として印刷する機能）等の設定内容の変更操作を受け付ける。
【００３７】
主設定ウィンドウ３２は、省資源化機能の指定及び特定ユーザの指定を受け付ける。省資源化機能とは、例えば、両画印刷機能、モノクロ印刷機能、集約印刷機能（２ｕｐは２頁の画像データを１面に集約して印刷し、４ｕｐは４頁の画像データを１面に集約して印刷する）等の用紙やインクの省資源化に貢献することができる機能のことである。省資源化機能の指定では、これらの省資源化機能うち、１以上の省資源化機能を設定する。この設定された省資源化機能（以下、所定の省資源化機能）が選択されている印刷用データは、プリンタ１にてそのまま印刷され、選択されていない印刷用データは、プリンタ１に一時記憶される。また、特定ユーザの指定では、所定の省資源化機能が選択されていない場合であっても、一時記憶せずに、そのまま印刷することができるユーザを選択する。
【００３８】
主設定ウィンドウ３２内には、確定ボタン３２８及び解除ボタン３２９が配置されている。確定ボタン３２８は、変更した設定内容の確定操作を受け付ける。解除ボタン３２９は、変更した設定内容の解除操作を受け付ける。確定ボタン３２８及び解除ボタン３２９は、設定内容の確認及び変更を完了した際に操作される設定完了ボタンである。
【００３９】
次に、印刷制御システム１００における印刷処理の手順について、図４〜８を参照して説明する。まず、情報処理装置２の制御部の印刷処理の手順について、図４〜６を参照して説明する。
【００４０】
図４に示すように、アプリケーションプログラム２１３Ａの起動中に印刷処理が要求されると、情報処理装置２の制御部２１１は、図２の印刷処理ウィンドウ３１をディスプレイ２２の最前面に表示し（Ｓ１１）、ユーザの操作を待機する。印刷処理ウィンドウ３１内のプロパティボタン３１６の操作によって設定内容の確認が要求されると（Ｓ１２）、制御部２１１は、図３の主設定ウィンドウ３２をディスプレイ２２の最前面に表示し（Ｓ１３）、設定内容の変更操作を待機する。
【００４１】
主設定ウィンドウ３２内で設定内容の変更操作が行われると（Ｓ１４）、制御部２１１は、記憶部２１２内に記憶されている設定内容を変更する（Ｓ１５）。主設定ウィンドウ３２内の設定完了ボタンである確定ボタン３２８及び解除ボタン３２９が操作されると（Ｓ１６）、主設定ウィンドウ３２をディスプレイ２２か消去してステップＳ１１に戻る（Ｓ１７）。これによって、ディスプレイ２２の最前面には、印刷処理ウィンドウ３１が表示される。
【００４２】
印刷処理ウィンドウ３１がディスプレイ２２に表示されている間に、ユーザがマウス２４を介して印刷開始ボタン３１５を操作する（本発明における印刷処理の開始の指示入力に相当する。）と（Ｓ１８）、制御部２１１はプログラム記憶部２１３に格納されている印刷制御プログラム２１３Ｃを起動させる。
【００４３】
図５に示すように、印刷制御プログラム２１３Ｃが起動すると、制御部２１１は、主設定ウィンドウ３２で設定された設定内容に基づいて、記憶部２１２内の画像データを印刷用データに変換する（Ｓ２１）。
【００４４】
印刷用データには、モード情報、プリンタの設定情報、及び省資源化フラグが含まれる。モード情報は、プリンタ１の印刷処理に関するモードを示すものであり、印刷モード又はドキュメント・ファイリングモードのいずれかが設定され、デフォルトで印刷モードが設定される。印刷モードは、プリンタ１が受信した印刷用データをプリンタの設定情報に基づいて印刷を行うモードであり、ドキュメント・ファイリングモードは、プリンタ１が受信した印刷用データをファイリングフォルダに一時記憶するモードである。このファイリングフォルダに一時記憶された印刷用データは、ユーザがプリンタ１を操作することにより印刷されるか、所定期間（例えば、１日、１週間等）経過後に自動で消去される。
【００４５】
プリンタの設定情報は、主設定ウィンドウ３２で設定された設定内容のうち、プリンタ１の機能を用いて実行する設定内容（例えば、両面印刷機能、モノクロ印刷機能等）を示す情報である。例えば、両面印刷機能は、プリンタ１における用紙の表裏面の反転動作及び反転後の再搬送動作を伴う。このため、両面印刷機能が選択されている場合には、プリンタの設定情報に両面印刷機能を設定する。
【００４６】
省資源化フラグとは、所定の省資源化機能が選択されているか否かを示すものであり、所定の省資源化機能が選択されている場合にオンに設定され、所定の省資源化機能が選択されていない場合にオフに設定される。
【００４７】
制御部２１１は、主設定ウィンドウ３２で設定された設定内容に、所定の省資源化機能が選択されているか否かを判断する（Ｓ２２）。
【００４８】
制御部２１１は、設定内容に所定の省資源化機能が選択されている場合に、印刷用データの省資源化フラグをオンして、プリンタ１へ出力する（Ｓ２３）。また、制御部２１１は、設定内容に所定の省資源化機能が選択されていない場合に、印刷データの省資源化フラグをオフして、当該印刷用データの所有者が特定ユーザであるかを判断する（Ｓ２４）。
【００４９】
制御部２１１は、特定ユーザであった場合に、印刷用データをプリンタ１へ出力する（Ｓ２３）。また、制御部２１１は、特定ユーザでない場合に、印刷用データのモード情報をドキュメント・ファイリングモードに変更して（Ｓ２５）、印刷用データをプリンタ１へ出力する（Ｓ２６）。
【００５０】
そして、制御部２１１は、図６に示すポップアップ３３「印刷ジョブ（ｆｉｌｅ−０１．ｄｏｃ）は省資源化機能が選択されていないため、ファイリングフォルダに一時保存されました。プリンタ（ＭＸ４１０１）を操作してファイルをプリントしてください。」をディスプレイ２２へ表示する（Ｓ２７）。制御部２１１は、ユーザがマウス２４を介してＯＫボタン３３１を操作すると（Ｓ２８）、ポップアップ３３を消去する（Ｓ２９）。
【００５１】
以上のように、情報処理装置２は、所定の省資源化機能が選択されている印刷用データをそのままプリンタ１へ送信し、所定の省資源化機能が選択されていない印刷用データをドキュメント・ファイリングモードへ変換して、プリンタ１へ送信する。また、情報処理装置２は、所定の省資源化機能が選択されていない場合であっても、特定ユーザの印刷用データであれば、当該印刷用データをそのままプリンタ１へ送信する。
【００５２】
次に、プリンタ１の制御部１０の印刷処理の手順について、図７，８を参照して説明する。
【００５３】
図７に示すように、プリンタ１の制御部１０は、情報処理装置２から印刷用データを受信すると（Ｓ３１）、印刷用データのモード情報を参照して、ドキュメント・ファイリングモードか否かを判断する（Ｓ３２）。制御部１０は、ドキュメント・ファイリングモードの場合に、印刷用データを印刷せずに、ファイリングフォルダに一時記憶する（Ｓ３３）。
【００５４】
制御部１０は、印刷モードの場合に、印刷用データの省資源化フラグを参照して、所定の省資源化機能が選択されている否かを判断する（Ｓ３４）。制御部１０は、所定の省資源化機能が選択されていない場合（省資源化フラグがオフの場合）に、印刷用データを図８に示す印刷キューの最後方に追加する（Ｓ３５）。すなわち、制御部１０は、印刷用データをＥ．ｄｏｃの後に追加する。この印刷キューには、印刷待ちの印刷用データが印刷順に登録されている。この印刷キューでは、Ａ．ｄｏｃが最初に印刷され、Ｅ．ｄｏｃが最後に印刷される。制御部１０は、印刷用データのプリンタの設定情報に基づいて、印刷用データを印刷する。
【００５５】
また、制御部１０は、所定の省資源化機能が選択されている場合（省資源化フラグがオンの場合）に、印刷用データを印刷キューの所定の省資源化機能が選択されている印刷用データの後方（すなわち、所定の省資源化機能が選択されていない印刷用データの先頭）に追加する（Ｓ３６）。すなわち、制御部１０は、印刷用データをＣ．ｄｏｃとＤ．ｄｏｃの間に追加する。
【００５６】
以上のように、プリンタ１は、所定の省資源化機能が選択されている印刷用データを、所定の省資源化機能が選択されていない印刷用データより優先して印刷する。すなわち、印刷制御システム１００は、所定の省資源化機能が選択されていない印刷用データの印刷時の優先順位を下げることで、ユーザに省資源化機能を選択するようにさせる促すことができる。
【００５７】
次に、ファイリングフォルダに一時保存された印刷用データの印刷手順について、図９〜１１を参照して説明する。プリンタ１の制御部１０は、ユーザによる操作パネルに操作に応じて、図９に示す実行画面３４を操作パネルに表示する。実行画面３４は、スキャンしたデータの保存を行うスキャン保存ボタン３４１、及び各フォルダに保存したデータの呼び出しを行うファイリングフォルダボタン３４２や自動一時保存フォルダボタン３４３等を備える。
【００５８】
制御部１０は、ユーザによりファイリングフォルダボタン３４２が操作されると、図１０に示すファイリングフォルダに格納された印刷用データの一覧を表示する一覧画面３５へ移行する。一覧画面３５では、日付順でソートする日付ソートボタン３５１や、印刷用データを選択するファイル選択ボタン３５２、全印刷用データを一括印刷する一括印刷ボタン３５３等を備える。
【００５９】
制御部１０は、ユーザにより印刷用データ（ｆｉｌｅ−０１．ｄｏｃ）のファイル選択ボタン３５２が選択されると、図１１に示すファイル操作画面３６を表示する。ファイル操作画面３６は、印刷用データを印刷する印刷ボタン３６１、印刷用データを削除する削除ボタン３６２、及び印刷用データの詳細情報を表示する詳細情報ボタン３６３等を備える。
【００６０】
制御部１０は、ユーザにより印刷ボタン３６１が選択されると、印刷用データ（ｆｉｌｅ−０１．ｄｏｃ）が所定の省資源化機能を選択されていない印刷用データであるため、当該印刷用データを印刷キューの最後方へ追加する。
【００６１】
以上のように、ユーザは、プリンタ１の前でプリンタ１を操作して、ファイリングフォルダに一時保存された印刷用データ（ｆｉｌｅ−０１．ｄｏｃ）を印刷しなければならない。この結果、印刷制御システム１００は、ユーザに画像形成装置の前で煩雑な操作を行って印刷するより、設定内容の設定時に省資源化機能を選択するよう促すことができる。
【００６２】
なお、上述の実施形態では、特定ユーザの印刷用データが所定の省資源化機能を選択されていない印刷用データであった場合、当該印刷用データをプリンタ１の印刷キューの最後方に追加した。しかし、印刷制御システム１００は、特定ユーザにランク付けを行うことで、上位ランクの特定ユーザの印刷用データを、所定の省資源化機能を選択されている印刷用データと同じ優先順位で追加する構成としてもよい。
【００６３】
なお、上述の実施形態では、所定の省資源化機能が選択されていない旨をポップアップ３３で通知したが、音声や警告音により通知してもよい。
【００６４】
なお、情報処理装置２は、プリンタ１が省資源化機能の一部又は全部を実現するように画像データを印刷用データに変換する場合には、選択されている機能の一部又は全部をプリンタ１に実行させるコマンドとともに印刷用データ又は画像データをプリンタ１に出力してもよい。
【００６５】
なお、上述の実施形態では、情報処理装置２が画像データから印刷用データを生成したが、プリンタ１が画像データから印刷用データを生成してもよい。この場合、情報処理装置２は、主設定ウィンドウ３２の設定内容を画像データとともにプリンタ１へ送信する。そして、プリンタ１は、所定の省資源化機能が選択されているかを調べる。
【００６６】
なお、上述の実施形態では、所定の省資源化機能を選択されている場合に、印刷データをそのまま印刷した。しかし、所定の省資源化機能よりも省資源化に貢献することができる機能を選択している場合にも印刷データをそのまま印刷するようにしてもよい。具体的に例えば、所定の省資源化機能として、両面印刷機能、集約印刷機能（２ｕｐ）、モノクロ印刷機能が指定されている場合を例に挙げて説明する。この場合、プリンタ１は、両面印刷機能、集約印刷機能（２ｕｐ）、モノクロ印刷機能が選択された場合や、両面印刷機能、集約印刷機能（４ｕｐ）、モノクロ印刷機能が選択された場合に、印刷データをそのまま印刷する。
【００６７】
なお、上述の実施形態では、主設定ウィンドウ３２で、省資源化機能の指定、及び特定ユーザの指定を受け付けたが、他のウィンドウで受け付けもよい。例えば、印刷処理の要求後、印刷処理ウィンドウ３１の表示前に、指定用ウィンドウを表示し、当該指定用ウィンドウで省資源化機能の指定、及び特定ユーザの指定を受け付ける。また、情報処理装置２は、受け付けたこれら情報を、他の情報処理装置へ配信してもよい。また、プリンタ１にて省資源化機能の指定、及び特定ユーザの指定を受け付け、情報処理装置２へ配信してもよい。
【００６８】
なお、省資源化機能として、片面が印刷済みの所謂裏紙を使用する機能や、印刷品質を低下させる機能を用いてもよい。
【００６９】
なお、上述の実施形態では、所定の省資源化機能が選択されているか否かの判断の後に、特定ユーザか否かの判断を行った。しかし、特定ユーザか否かの判断を行った後に、省資源化機能が選択されているか否かの判断を行ってもよい。
【００７０】
さらに、この発明の印刷制御プログラム２１３Ｃは、プリンタドライバ２１３Ｂの一部であるか否かを問わない。この発明の印刷制御プログラム２１３Ｃをプリンタドライバ２１３Ｂとは独立させ、情報処理装置２のプログラム記憶部２１３にインストールされている複数種類のプリンタドライバのいずれにも連動して動作するものとしてもよい。
【００７１】
また、この発明の印刷制御プログラム２１３Ｃは、必ずしも情報処理装置２にインストールされている必要はなく、ディスプレイを備えているプリンタ１にインストールすることもでき、ネットワーク内のプリントサーバにインストールすることもできる。
【００７２】
なお、この発明の印刷制御プログラム２１３Ｃは、モノクロ印刷機能のみを備えたプリンタを含む印刷システムにも適用できる。
【００７３】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００７４】
１…プリンタ，
１００…印刷制御システム，
２…情報処理装置，
２１１…制御部，
２１３Ｃ…印刷制御プログラム，
２２…ディスプレイ，
２３…キーボード，
２４…マウス，
３１…印刷処理ウィンドウ，
３２…主設定ウィンドウ，
３３…ポップアップ
【図１】
2011048530.tif 000003
【図２】
2011048530.tif 000004
【図３】
2011048530.tif 000005
【図４】
2011048530.tif 000006
【図５】
2011048530.tif 000007
【図６】
2011048530.tif 000008
【図７】
2011048530.tif 000009
【図８】
2011048530.tif 000010
【図９】
2011048530.tif 000011
【図１０】
2011048530.tif 000012
【図１１】
2011048530.tif 000013